(57)【特許請求の範囲】
【請求項１】
格子状に配設した天井材とその各格子の必要箇所に照明器具あるいは他の天井設備を配置し、残りの各全格子に天井ボードを配置する照明器具を含む天井システムにおいて、
前記格子内に前記照明器具の器具本体が下側から没入するのを許容し、かつ没入した前記器具本体が前記格子から落下するのを阻止しかつ浮き上がるのを阻止する取付金具を前記器具本体側部の各辺に装着したことを特徴とする照明器具を含む天井システム。
【請求項２】
請求項１記載の照明器具を含む天井システムにおいて、取付金具を介して器具本体と天井材を電気的に接続したことを特徴とする照明器具を含む天井システム。
【発明の詳細な説明】
【０００１】
【産業上の利用分野】
本発明は格子状に配設した天井材とその各格子の必要箇所に照明器具あるいは他の天井設備を配置し、残りの各全格子に天井ボードを配置する照明器具を含む天井システムに関する。
【０００２】
【従来の技術】
従来のこの種天井システムにおいては、照明器具は各格子に対して単に載せられているだけであり、地震の規模によっては落下する危険性がある。照明器具を固定することもあるが、その固定にネジ等が用いられ、後からのレイアウト変更では天井ボードを外さなければならない。また、施工時に作業手順があり、工程の制約がある。加えて、リフオームを行う場合は、ほとんど新しく天井を施工するに等しい工事となる。
【０００３】
【発明が解決しようとする課題】
本発明は照明器具の装着ないしは付け換えが容易な天井システムを提案するものである。また、雑音障害の少ない天井システムを提案するものである。
【０００４】
【課題を解決するための手段】
格子内に前記照明器具の器具本体が下側から没入するのを許容し、かつ没入した前記器具本体が前記格子から落下するのを阻止しかつ浮き上がるのを阻止する取付金具を前記器具本体側部の各辺に装着する。また前記取付金具を介して器具本体と天井材を電気的に接続する。
【０００５】
【作用】
取付金具は格子内に器具本体が下側から没入するのを許容するので、器具本体の装着作業が容易である。また、没入した器具本体が前記格子から落下するのを阻止しかつ浮き上がるのを阻止する役割を取付金具が果たすため、その分だけ作業が簡略化する。
一方、取付金具を介して器具本体と天井材を電気的に接続するので、雑音の発生が軽減する。
【０００６】
【実施例】
照明器具を含む天井システムの施工手順（クロス工法）を図１により説明する。
１．天井スラブから下ろされた吊りボルト９の下端に取付けたＴバーハンガー９ａによりメインＴバー７ａが格子の一辺の間隔（テギュラーシステム天井の場合）、Ｔバー芯、芯間で６４０ｍｍ間隔）で吊り下げられる。このメインＴバー７ａは、連結金具により継ぎ合わされ、室の壁から対面壁までの通し連結で、その上に搭載される照明器具や天井ボードを重量的に支える梁の役割を果たす。
２．格子の一辺の長さのサブＴバー７ｂを、メインＴバー７ａに直交する方向でＬ形金具等を用いて両端をメインＴバー７ａに固定する。このサブＴバー７ｂは格子の間隔を確保するもので、直接天井から吊り下げられてはおらず、重量物をそのサブＴバー７ｂだけで支えることはできない。メインＴバー７ａ・サブＴバー７ｂはそれら全体で格子状に配設した天井材として機能する。
３．照明器具等天井設備を取付けた後、各格子（グリッド）に天井ボードを落とし込み貼天井工事は完了する。この天井下から見上げたとき、骨材のＴバー７ａ、７ｂは目地模様となって、天井バードの間に現れている。このクロス工法の特徴を列記する。
（１）施行の簡略化・工期の短縮と工程手順の無制約。
（２）点検口の据え付け不要。格子単位に落とし込まれている天井ボードを天井裏に持ち上げることにより、この格子部分が点検口の役割を兼ね備える。
（３）レイアウト変更、リフオームが容易。各格子単位で独立している照明器具、天井ボードを必要な箇所のみ取り外し、相互入れ替え、あるいは新しい材料や器具と取り替えるだけで可能である。
以上の前提要件から、同工法システム天井用照明器具に求められている主な仕様は次のようになる。
（１）一つの格子だけでの照明器具取付け（装着）、取り外しが可能で、工具等を用いないワンタッチ着脱の嵌合取付け構造であること。
（２）電源線接続および送り配線接続は、器具を分解組みてすることなく、外から接続可能な構造。これはレイアウト変更時の電気工事の作業軽減が目的である。
（３）アクセサリーの後からの取付け取り替えが容易な構造。
（４）耐震性能の向上。これは耐震性基準（相間変異１／１２５）を満足することである。
以下、前記仕様（１）について、図４〜図９を使って説明する。最初に、構成の主要部品であるＴバー取付け金具が器具着脱の際、器具内側に可動するときの支点と器具内に引き込む際の持手となる摘み部５ｅと、それ以上器具内に入り込まないためのストッパーおよびＴバーに装着した際の外れ防止のための障壁の役割を担う舌部５ｆと断面がほぼ三角形状で器具装着の際、器具内に滑り込み易いテーパ形状の背面を板金により一体成型した取付け金具に下端部を鋭角に折り曲げた成形バネ５ａを、頭部が円弧上状で、かつ出幅の少ないリベット等５ｂで締めつけ一体化している。
次に、上記Ｔバー取付け金具を器具本体の側面１に組みつける構成について、図５を使って説明する。器具本体の側面１に、Ｔバー取付け金具５の輸郭である略Ｔ字形の切り欠き穴と上部に固定用の穴を設け、リベット５ｃ等でＴバー取付金具５と器具本体１を固定する。
次に動作について説明する。図７はＴバー取付金具５を最大限器具内に押し込んだ状態の当該部分を示している。
摘み部５ｄの器具接触部に設けた円弧部を支点に照明器具本体内外に回転動作するＴバー取付金具５は下端に設けた舌部５ｆで器具本体側部１に当たり、それ以上器具内には入り込まない。なお、外から力を加えない状態では、図９に示す通り、成形バネ５ａのバネ力により、Ｔバー取付金具５は最大限器具外に飛び出している。
上記Ｔバー取付金具５を、器具本体側面各辺の略中央部に１個ずつ計４個を配置した器具外観を図３に示す。各辺に１個ずつＴバー取付金具を使用している理由は、実装後の安定性と前述のメイン、サブＴバーの重量負担制約による。対辺だけにＴバー取付金具をそれぞれ２個設けた場合、照明器具施行時に誤ってサブＴバー７ｂに掛けられた場合は照明器具自重が全てサブＴバーにのし掛かり、両端をＬ形金具等でメインＴバーに７ａに係合させている天井構造上、サブＴバーもろとも照明器具が落下する危険があるため、施行ミス未然防止の目的から、必ずメインＴバー７ａに照明器具が搭載されるよう、各辺に１個のＴバー取付金具を設けている。
次に、照明器具施行手順について、図６を用いて説明する。器具外部からの電源接続が可能な様に、器具側面に設けた電源端子台（前述の使用（２）を具体化したもの）に電源線８、送り配線１０を電気的接続した後、照明器具１をＴバーで構成された格子（グリッド）内に下挿入していく。この照明器具の取付けは一人作業で十分に行える。
図８に示す通り、照明器具を天井内に押し上げて行く過程で各側面に設けたＴバー取付金具５は、格子状に組まれたＴバー７に当たり回転動作をしながら器具内に押し込まれて行く。照明器具１が天井懐に納まるまで上がった時点で、取付金具５は自由の状態になり、成形バネ５ａのバネ力で最大限外側に飛び出し、Ｔバーに係止される。その際、照明器具１は、Ｔバー取付金具の下端舌部５ｆがＴバーの外側まで飛び出す様少し多めに押し上げ、Ｔバー取付金具５がハの字に開いた後で、係止部に当たるまで下げおろし、作業は完了する。照明器具が格子状のＴバーに係止された状態を図９に示す。
この状態では、成形バネ下端の鋭角に折り曲げた部分５ａが格子状のＴバー７の首下に掛かり、外れあるいは浮き上がり防止と（前述の仕様（４）の具現化）Ｔバーとのアース接続（器具本体とＴバーの同電位化を図ることにより、雑音端子電圧など電波雑音の軽減が主な目的で、電気設備基準で定められている外箱金属部のアース工事は電源端子台に設けた専用アース線の接続で行う）が可能となる。なお、照明器具を取り外す際は、器具を少し天井内に押し上げ、摘み部５ｄを手で摘み、器具内に引き込みながら、各Ｔバー取付金具５のＴバー７への係止を解除することにより、器具を下ろすことが可能となる。
器具本体１とＴバーすなわち天井材７ａ・７ｂを上記のごとく取付金具５を介して電気的に接続する理由について補足する。器具本体１とＴバーすなわち天井材７ａ・７ｂの対地電位が共に十分に低い場合は上記接続は意味を持たない。しかし、この接続によってそれまで高かった雑音端子電圧が低減することがある。よって、対地電位の如何にかかわらず、一律に接続するのは作業簡略化を意図したものである。
その他の前記仕様（３）の具現化については、図３に示す通り、アクセサリー取付けにＶバネ６を使用し、後からの取付け、取り替えが可能な構造としている。
上記実施例によれば、前述した同工法システム天井用照明器具に求められる主な前記各仕様を満足させることができ、化様部品数が少なくかつ単純構造のため、安価で耐震性に富んだ製品を量産できる効果がある。また、天井懐も器具収納程度でよく、かつ天井施行時の工程順序に制約されず、後からの照明器具増灯あるいは器具取り外しやレイアウト変更が可能といった効果もある。
【０００７】
【発明の効果】
本発明にかかる取付金具は格子内に器具本体が下側から没入するのを許容するので、器具本体の装着作業が容易である。また、没入した器具本体が前記格子から落下するのを阻止しかつ浮き上がるのを阻止する役割を取付金具が果たすため、その分だけ作業が簡略化する。
一方、取付金具を介して器具本体と天井材を電気的に接続するので、雑音の発生が軽減する。
【図面の簡単な説明】
【図１】本発明システムの要部斜視図である。
【図２】図１にルーバーを加えた要部斜視図である。
【図３】図２の分解斜視図である。
【図４】その取付金具を拡大図であり、（ａ）は正面図、（ｂ）は側面図を示す。
【図５】取付金具の装着状況を示す分解斜視図である。
【図６】照明器具の取付け状況を示す説明図である。
【図７】取付金具の動作説明図であり、（ａ）は正面図、（ｂ）は側面図を示す。
【図８】取付金具と天井材の関係を示す説明図である。
【図９】取付金具と天井材の係合関係を示す説明図である。
【符号の説明】
１：器具本体、２：照明器具反射板、３：光源、４：ルーバー、５：取付金具
５ａ：成形バネ、６：Ｖバネ、７ａ・７ｂ：天井材、９ａ：Ｔバーハンガー
９：吊りボルト
【図１】
0003627267.tif 000002
【図２】
0003627267.tif 000003
【図３】
0003627267.tif 000004
【図４】
0003627267.tif 000005
【図５】
0003627267.tif 000006
【図６】
0003627267.tif 000007
【図７】
0003627267.tif 000008
【図８】
0003627267.tif 000009
【図９】
0003627267.tif 000010